【事件の表示】
　平成　６年特許願第２８３２６４号「インクジェトヘッド記録装置」拒絶査定に対する審判事件［平成　７年　７月２５日出願公開、特開平　７−１８６４５１］について、次のとおり審決する。
【結　論】
　本件審判の請求は、成り立たない。
【理　由】
１．手続の経緯・本願発明
　本願は、平成５年８月１７日に出願した特願平５−２０３１７５号の一部を平成６年１１月１７日に新たな特許出願としたものであって、その請求項１及び２に係る発明は、明細書及び図面の記載からみて、特許請求の範囲の請求項１及び２に記載されたとおりのものと認められるところ、その請求項１に記載された発明（以下、本願発明１という。）は次のとおりである。
　「インクを噴射するためのインク噴射口を有するヘッド部と、該ヘッド部に供給するためのインクを備えたインク容器部とを有し、前記ヘッド部は、記録装置本体に対して着脱自在であり、前記インク容器部は、前記インク噴射口の夫々に異なる色のインクを供給する容器からなり、かつ、前記ヘッド部に対して分離可能であるインクジェット記録装置において、前記ヘッド部と前記インク容器部との接続部から前記インク噴射口までの距離が色毎に異なる構成となるように、前記ヘッド部のすべてのインク噴射機能が共通の1つのヘッドチップに集中して設けられていることを特徴とするインクジェット記録装置。」
　また、その請求項２に記載された発明（以下、本願発明２という。）は次のとおりである。
　「前記インク容器部は、前記インク噴射口の夫々に異なる色のインクを供給する複数のインク容器を有し、各色毎にインク容器が分離可能であることを特徴とする請求項1記載のインクジェット記録装置。」
２．引用例
　これに対して、当審における平成１１年１１月１９日付で通知した拒絶の理由に引用した特開昭５６−８２６６号公報（以下引用例という。）には、「１）それらからプリントすべき記録担体へインクが射出されるようにした複数個のノズルを有するインクプリントヘッドが設けられたインクプリント装置において、インクプリントヘッドに供給管を介して接続されている複数個のインクタンクが異なる色のインクを有し、しかもこのインクタンクはインクプリントヘッドの所定数のノズルに同色のインクを供給するようにしたことを特徴とする記録担体の多色プリント用インクプリント装置。２）それぞれ同色のインクを供給されるノズルが隣り合わせに重ねて配置されていることを特徴とする特許請求の範囲第１項記載のインクプリント装置。」（特許請求の範囲第１項、第２項）及び「インクプリントヘッドは多数のノズル通路４を有する第１の合成樹脂部材からなる。例えばインクプリントヘッドは２つの平面（第１図にはそのうち１つ平面だけが示されている。）に記載されている１２個のノズル通路４を有する。ノズル通路４は両平面内において放射状に分散している。ノズル通路４はノズル板５における一方の面で終端している。このノズル板５は１２個のノズルを有し、これらのノズルから記録担体２への平行軌道上にインク小滴が射出される。ノズル通路４の他端には狭い通路７を有する絞り板６が設けられており、この通路７を介してインクがノズル通路４に供給される。ノズル通路４はピエゾセラミック変換器６によって同心的に包囲される。変換器６の１つまたは複数に電圧が印加されると対応するノズル通路４に衝撃波が発生し、ノズル板５を介して対応するノズルからインク小滴が射出される。第２の合成樹脂部材１２内に設けられている貯蔵室１０〜１２を介してノズル通路４にインクが供給される。例えば１２個のノズルを有するインクプリントヘッドの場合にはそれぞれ４つの上下に隣接するノズルに同色のインクが供給される。貯蔵室１０〜１２は供給管１３を介してインク１４〜１６と接続されている。インクタンク１４〜１６は、プラテン１に沿ったプリント機構の加速の際にプリント衝撃を避けるために、記録担体２に対して直角方向に相前後して配置されている。つぼ状インクタンク１４〜１６は底にゴム型部材１７を有し、これらのゴム型部材はインクタンク挿入時にそれぞれ１つの中空針１８によってインクヘッドへの接続をもたらすべく突き刺される。・・・インクタンク１４〜１６にはマゼンタ、黄、シアンの色を有するインクＭ，Ｙ，Ｃが入れてある。マゼンタ色を有するインクＭは貯蔵室１０を介して最も上のノズルに供給され、黄色のインクＹは貯蔵室１１を介して中間のノズルに供給され、シアン色のインクＣは貯蔵室１２を介して最も下のノズルに供給される。・・・第２図に示されているノズル板５の前面では２つの平行な列に配置されたノズルが認められる。最も上の４つのノズルからはマゼンタ色のインクＭが噴射されるのに対して、中間の４つのノズルからは黄色のインクＹが噴射され、そして最も下の４つのノズルからはシアン色のインクＣが噴射される。記録担体２がプラテン１のまわりに置かれ、インクプリントヘッドが列状にプラテン１に沿って動かされかつ記録担体２がプリント方向に対して直角方向にすべらされるような列状にプリントする記録ステーションにこのインクプリント機構がセットされる」（第３頁右下欄第６行〜第４頁左下欄第３行）と記載され、第１図にプリント機構の断面図が、第２図にインクプリントヘッドのノズル板の正面図が記載されている。
  これらの記載から、上記引用例には、インクを噴射するためのノズルを有するインクプリントヘッドと、該インクプリントヘッドに供給するためのインクを備えたインクタンクとを有し、前記インクプリントヘッドは、インクプリント装置に対してセットされるものであり、前記インクタンクは、前記ノズルの夫々に異なる色のインクを供給する容器からなり、かつ、前記インクプリントヘッドに対して分離可能であるインクプリント装置において、前記インクプリントヘッドのすべてのインク噴射機能が共通の１つの第１の合成樹脂部材に集中して設けられているインクプリント装置が記載されている。
３．対比
  本願発明１と 上記引用例に記載された発明とを比較する。
　上記引用例に記載された「ノズル」、「インクプリントヘッド」、「インクタンク」、「第１の合成樹脂部材」及び「インクプリント装置」は、それぞれ、本願発明１の「インク噴射口」、「ヘッド部」、「インク容器部」、「ヘッドチップ」及び「インクジェット記録装置」に相当し、また、上記引用例に記載された「第１の合成樹脂部材」と本願発明１の「ヘッドチップ」は、ともに、ヘッド部構成部材といえるから、両者は、「インクを噴射するためのインク噴射口を有するヘッド部と、該ヘッド部に供給するためのインクを備えたインク容器部とを有し、前記インク容器部は、前記インク噴射口の夫々に異なる色のインクを供給する容器からなり、かつ、前記ヘッド部に対して分離可能であるインクジェット記録装置において、前記ヘッド部のすべてのインク噴射機能が共通の１つのヘッド部構成部材に集中して設けられているインクジェット記録装置」である点で一致し、次の点で相違している。
［相違点］
１．本願発明１がヘッド部が記録装置本体に対して着脱自在であるのに対して、上記引用例ではその点が不明である点。
２．ヘッド部のすべてのインク噴射機能が集中して設けられる共通の１つヘッド部構成部材が、本願発明1は「ヘッドチップ」であるのに対して、上記引用例では「第１の合成樹脂部材」である点。
３．ヘッド部とインク容器部との接続部からインク噴射口までの距離について、本願発明１が色毎に異なる構成となるとしているのに対して、上記引用例ではその点が明確でない点。
４．当審の判断
　上記相違点について検討する。
  相違点１について、
　ヘッド部を記録装置本体に対して、交換等のために着脱自在とすることは、たとえば、既に示している特開平２−１９８８６１号公報にみられるように従来公知であるから、これを上記引用例に記載されたものに適用することは当業者が容易に想到する構成の変更と認められ、その作用効果も格別顕著なものがない。
　相違点２について
　「ヘッドチップ」という記載だけではその意味する構成が明確ではないが、これに関連する記載として、本願の明細書の発明の詳細な説明の「ヘッドユニット２０は、インクを噴射するヘッドチップ２１とそこにインクを供給するためのインク容器部とを一体的に形成したものである。ヘッドチップ２１は、ＦＰＣ（フレキシブルプリントサーキット）２２に接続され、ＦＰＣに設けられた電気接点をキャリッジ側の接点（図示せず）と接触することにより、プリンター本体側より電気信号を受け取り、インクを噴射して記録を行うようになっている。」（段落【００１１】第５〜１０行）という記載及び図４（ｂ）の記載、ならびに、一般に、「チップ」は、細片又は薄片の意味である（広辞苑参照。）から、本願発明１の「ヘッドチップ」は、インク容器部と共にヘッド部を構成し、インク噴射機能が設けられたものを細片又は薄片状に構成したものと把握される（このような解釈は本願発明１の実施例とも合致する。）。
　ところで、インク容器部と共にヘッド部を構成し、インク噴射機能が設けられるものを、細片又は薄片状に構成することは、例えば、特開平３−２９３１５８号公報にみられるように、従来周知である（このことについては、請求人も審判請求書第３頁第６〜７行において認めている。）。
　してみると、引用例に記載されたインク噴射機能が設けられた第１の合成樹脂部材を、上記従来周知の、インク噴射機能が設けられた細片又は薄片状に構成したものに置き換えて、相違点２の如く構成することは、当業者が容易になす構成の変更と認められ、その作用効果も格別顕著なものがない。
　相違点３について、
　上記引用例には、「インクタンク１４〜１６は、・・・記録担体２に対して直角方向に相前後して配置されている。」（第４頁左上欄第１０〜１３行）及び「マゼンタ色を有するインクＭは貯蔵室１０を介して最も上のノズルに供給され、黄色のインクＹは貯蔵室１１を介して中間のノズルに供給され、シアン色のインクＣは貯蔵室１２を介して最も下のノズルに供給される。」（第４頁第４〜８行）との各記載、ならびに、ノズル板５上に隣り合わせに重ねて配置される各ノズル（インク噴射口）に異なる色のインクを供給するインク容器部とヘッド部との接続部が記録担体とノズル板に対して直角方向に相前後して配置されていることを示している第１図の記載がある。
　これらの記載と、インク容器部とヘッド部との接続部が記録担体とノズル板に対して直角方向に相前後して配置されていれば、ヘッド部とインク容器部との接続部からほぼ近接した位置に配置されているノズル（インク噴射口）までの距離は、同じにするとの記載がない以上、異なっているとみるのが自然であるということを合わせて考慮するならば、上記引用例には、本願発明１の相違点３の構成が記載されているに等しいといえる。
　なお、ヘッド部とインク容器部との接続部からインク噴射口までの距離を異ならせることは、インク噴射口を集中させる機能において、決定的な要因になるものでない、すなわち、ヘッド部とインク容器部との接続部からインク噴射口までの距離を異ならせれば必然的にインク噴射口が、その距離が同じであるものに対して、より集中するものでないと認められる。
　ゆえに、上記相違点３については、両者の間に格別技術的差異が見いだせない。
  したがって、本願発明１は、上記引用例に記載された発明、公知技術及び周知技術から、当業者が容易に発明をすることができたものと認められる。
　また、インクジェット記録装置において、インク容器部を、インク噴射口の夫々に異なる色のインクを供給する複数のインク容器を有し、各色毎にインク容器が分離可能であるようにすることも、たとえば、既に示している特開平３−８７２６６号公報にみられるように従来公知であるから、これを、さらに、上記引用例に適用して本願発明２のように構成することも当業者が容易に発明をすることができたものと認められる。
５．むすび
　したがって、本願請求項１ないし２に係る発明は、その出願前に上記引用例に記載された発明、公知技術及び周知技術に基づいて当業者が容易に発明をすることができたものと認められるから、特許法第２９条第２項の規定により特許を受けることができない。
　よって、結論のとおり審決する。